(57)【要約】      （修正有）【課題】少なくとも船舶の実船体のボードの上の大部分に配置されるデッキ建造物を備える大型客船内にキャビン・デッキを配置する方法を提供する。【解決手段】大型客船内にキャビン・デッキを配置する方法であって、デッキ建造物２はいくつかのキャビン・デッキ３を含み、該デッキには好ましくはできるだけ予め組立てられた可動式キャビン・ユニット４が設けられ、船舶の横断方向において、その中間部に、各キャビン・デッキ３には長手方向空間が設けられ、該長手方向空間は少なくとも１つのキャビン廊下５および技術上の空間６を備え、該技術上の空間には、船舶の加熱、配管、換気および電気設備システムおよび／または問題のキャビン・デッキ上のキャビン・ユニットに対応するシステムの少なくとも大部分が設けられている大型客船内にキャビン・デッキを配置する方法。【選択図】図１
2004268908.tif 000002
【特許請求の範囲】
【請求項１】
少なくとも船舶の実船体（１）の船内の上の大部分に配置されるデッキ建造物（２）を備える大型客船内にキャビン・デッキを配置する方法であって、前記デッキ建造物はいくつかのキャビン・デッキ（３）を含み、該デッキには好ましくはできるだけ予め組立てられた可動式キャビン・ユニット（４）が設けられ、船舶の横断方向において、その中間部に、各キャビン・デッキ（３）には長手方向空間が設けられ、該長手方向空間は少なくとも１つのキャビン廊下（５）および技術上の空間（６）を備え、該技術上の空間には、船舶の加熱、配管、換気および電気設備システムおよび／または問題のキャビン・デッキ上のキャビン・ユニットに対応するシステムの少なくとも大部分が設けられている、大型客船内にキャビン・デッキを配置する方法において、
キャビン・ユニット（４）が、デッキの横隔壁（７）のピッチにしたがって船舶の長手方向に並んで前記長手方向空間の両側に配置され、横隔壁と平行なキャビン・ユニット（４）の壁の下部が前記横隔壁と共にデッキ（３）に取り付けられ、キャビン・ユニット（４）の壁の上部が前記横隔壁の間に配置され、キャビン・ユニット（４）の壁の上部には横隔壁のフランジ部（７ａ）用の凹部（４ａ）または同様の空間が設けられ、技術上の空間（６）内の前記システムは船舶に対して少なくともほぼ横断方向である配管、ダクトまたはケーブルにより、前記横隔壁（７）の間でキャビン・ユニット（４）に連結されていることを特徴とする大型客船内にキャビン・デッキを配置する方法。
【請求項２】
キャビン・ユニット（４）は、その内側高さがキャビン・ユニットを支持するキャビン・デッキ（３）と横隔壁のフランジ部（７ａ）との間の距離より大きくなるように寸法決めされていることを特徴とする、請求項１に記載の方法。
【請求項３】
キャビン・ユニット（４）が、船舶のデッキ建造物（２）の客室組立て段階において、船舶の横断方向に取り付けられることを特徴とする、請求項１に記載の方法。
【請求項４】
キャビン・ユニット（４）が船舶のデッキ建造物（２）内で所定の位置まで移動された後にのみ、キャビン・ユニット（４）の天井が、所定の位置に取り付けられ、キャビン・ユニット（４）に取り付けられることを特徴とする、請求項１に記載の方法。
【請求項５】
少なくとも４個、好ましくは６〜８個のキャビン・デッキ（３）が、船舶上に配置されることを特徴とする、請求項１から４までのいずれか一項に記載の方法。
【請求項６】
少なくとも船舶の実船体（１）の船内の上の大部分に配置されるデッキ建造物（２）を備える大型客船内のキャビン・デッキ配置であって、前記デッキ建造物は予め組立てられたキャビン・ユニット（４）が設けられたいくつかのキャビン・デッキ（３）を含み、船舶の横断方向において、その中間部に、各キャビン・デッキ（３）には長手方向空間が設けられ、該長手方向空間は少なくとも１つのキャビン廊下（５）および技術上の空間（６）を備え、該技術上の空間には、船舶の加熱、配管、換気および電気設備システムおよび／または問題のキャビン・デッキ上のキャビン・ユニットに対応するシステムの少なくとも大部分が設けられている、大型客船内のキャビン・デッキ配置において、
キャビン・ユニット（４）が、デッキの横隔壁（７）のピッチにしたがって船舶の長手方向に並んで前記長手方向空間の両側に配置され、横隔壁と平行なキャビン・ユニット（４）の壁の下部が前記横隔壁と共にデッキ（３）に取り付けられ、キャビン・ユニット（４）の壁の上部が前記横隔壁の間に配置され、キャビン・ユニット（４）の壁の上部には横隔壁のフランジ部（７ａ）用の凹部（４ａ）または同様の空間が設けられ、技術上の空間（６）内の前記システムは船舶に対して少なくともほぼ横断方向である配管、ダクトまたはケーブルにより、前記横隔壁（７）の間でキャビン・ユニット（４）に連結されていることを特徴とする大型客船内のキャビン・デッキ配置。
【請求項７】
キャビン・ユニット（４）は、その内側高さがキャビン・ユニットを支持するキャビン・デッキ（３）と横隔壁のフランジ部（７ａ）との間の距離より大きくなるように寸法決めされていることを特徴とする、請求項１に記載のキャビン・デッキ配置。
【請求項８】
キャビン・ユニット（４）の自由高さが、キャビン廊下（５）の自由高さより少なくとも約１００ミリメートル大きいことを特徴とする、請求項６に記載のキャビン・デッキ配置。
【請求項９】
少なくとも４個、好ましくは６〜８個のキャビン・デッキ（３）が船舶上にあることを特徴とする、請求項６から８までのいずれか一項に記載のキャビン・デッキ配置。
【発明の詳細な説明】
【技術分野】
【０００１】
本発明は、特許請求の範囲第１項の前文に記載の大型客船内のキャビン・デッキ配置方法、およびこの方法を実際に適用するための、特許請求の範囲第５項の前文に記載のキャビン・デッキ配置に関する。
【背景技術】
【０００２】
旅客クルージングビジネスにおいて、多くの旅客を収容する大型船は、財務成績もまた最も高いことが経験から分かっている。大型旅客クルーザビジネスにおける実用面の１つは、パナマ運河を利用する可能性である。客船がひとたびパナマ運河の条件を満たすと、その巡航領域がかなり広がる。いわゆるＰａｎａｍａｘクルーザは、その全体的な寸法が、パナマ運河で操船することが可能とされている船舶の最大長さおよび幅によって制限されているクルーザのことを言う。船舶の高さに関しては、造船に関連する技術的要素によって制限されている。船舶の高さが、例えばデッキを追加することにより高くなる場合、船舶の重量は増え、重心のレベルが上がり、したがって船舶の安定性が損なわれ、それによって船舶はいわゆるＳＯＬＡＳ規制に適合しなくなる。重量および重心のレベルはまた、Ｐａｎａｍａｘクルーザにとって重要な問題である。船舶の安定性を損なう別の要因は、船舶の高さが増えるにしたがって広がる、船の側面の受風面積である。
【０００３】
一般に、目標はデッキ高さを最小限に抑えることである。それは、重心を低くする効率的な方法であるからである。しかし、デッキ高さは、人の動きと様々な建築面の両方によって決まるデッキ上の必要な自由高さ、ならびに、船に役立つシステムに必要な空間と、特に船舶の長手方向の舷内空間とにより左右される。また、鋼構造は、それ自体の空間を必要とする。特に、その寸法で推進器の励振周波数を検討する必要がある、構造物を支持する横隔壁、すなわち梁と、パイプ、ダクト、ケーブルなどの船舶の長手方向のシステムの貫通物は、垂直空間を必要とする。
【０００４】
デッキ間隔が、とりわけ、上記の面を考慮して画定された後で、軽量構造物、例えばハニカム・ボードを船舶の艤装品に使用すること、鋼の代わりにアルミニウムを船体構造に使用すること、またはバラストを船舶の下部に追加することにより、重心は影響される。
【０００５】
アルミニウムおよび軽量の艤装品材料を大量に使用すると、どうしてもコストが増え、したがって目標は、重心を考慮して効率的な領域、すなわち船舶の上部構造のみにその使用を制限することであった。できるだけ底部に近いところでバラスト用銑鉄を使用することにより、船舶の重心が低くなるが、同時に船舶の重量および排水量が増え、それによって船舶の輸送機械の寸法も大きくなり、より大きな力が必要となる。自由なタンク容量を利用できないので、バラスト用銑鉄を鋼として船舶の船体に追加する必要がしばしばあり、それによって建造費も増える。
【発明の開示】
【発明が解決しようとする課題】
【０００６】
本発明の目的は、大型客船にキャビン・デッキを配置する新規の方法を提供することであり、この方法により、簡単でコスト効率の良い態様でキャビン・デッキの量を増やすことが可能になり、またＰａｎａｍａｘクルーザにも適用できることが好ましい。大型客船はここでは、船舶と呼び、その長さは１００メートルを超えることが好ましい。
【課題を解決するための手段】
【０００７】
本発明の目的は、特許請求の範囲第１項および他の特許請求の範囲に開示されたように達成される。本発明によると、キャビン・ユニットは、デッキの横隔壁のピッチにしたがって船舶の長手方向に並んで長手空間の両側に配置され、横隔壁と平行なキャビン・ユニットの壁の下部が前記横隔壁と共にデッキに取り付けられ、キャビン・ユニットの壁の上部が前記横隔壁の間に配置されて横隔壁のフランジ部用の凹部または同様の空間を備えている。加えて、技術上の空間の前記システムは、少なくとも船舶に対してほぼ横断方向にある配管、ダクト、またはケーブルによって前記横隔壁の間でキャビン・ユニットに連結されている。
【０００８】
例えばＰａｎａｍａｘクルーザには、一般に船の上部構造に配置される、普通４〜６個のキャビン・デッキがある。本発明により、各キャビン・デッキの高さを基本的に低くすることができ、それによってキャビン・デッキの量を増やすことができる。このように普通、いくつかのデッキを余分に、船舶に設けることができる。この配置により、船舶の重心を低くすることができ、鋼構造が軽くなるので、各デッキの重量を減らすことができ、それによって材料費を減らすことができる。
【０００９】
本発明はデッキ間隔の高さを小さくする三つの仕方において貢献することができる。一つは、横梁の高さを低くすること、一つは船舶の長手方向におけるシステムの配線をキャビン・ユニットの廊下およびキャビン領域から離れるように移動させること、一つは高いキャビン・ユニットをデッキ間の低くなった空間に設置することを可能にすることである。横梁の高さは梁の共振周波数に影響を及ぼす梁の剛性および梁の荷重によって決まる。例外なく、梁の剛性は寸法要素であり、主に梁の高さによって決まる。この配置においては、その壁が梁の上部に配置される、デッキに取り付けられる予め組立てられた硬いモジュール・キャビンと、それのデッキへの固定とが、実質的に梁の剛性を増し、梁を下げることを可能にし、それにより基本的にキャビン・デッキを下げることを可能にする。というのは、横梁は荷重に基づいて寸法決めされるからである。
【００１０】
キャビン・デッキの低い横梁をしてキャビン・デッキの自由高さを決めさせるため、システムのダクトおよびパイプに関するほとんどすべての長手方向の往来が、キャビン廊下、およびキャビン・ユニットの上から船体中央部の技術上の空間に移動されている。前記技術上の空間はほぼ各キャビン・ユニットに隣接して配置され、キャビン・ユニットに必要な技術的システムは技術上の空間からキャビン廊下を横切ってキャビン・ユニットまで延びている。キャビン・デッキ上の長手方向の往来を横梁を通る少しの範囲だけに配置することができる。それは、梁は、荷重に基づいて寸法決めされ、高い梁に比較して、梁のステムについてほぼ中実な構造を要するからである。
【００１１】
実際には、キャビン・ユニットは、内側高さがそれを支持するキャビン・デッキと横隔壁のフランジ部との間の距離より大きくなるように、寸法決めされる。建築上の理由により、キャビン廊下またはキャビン・ホールの自由高さはキャビンまたは別の公共空間よりも低くすることもできる。キャビン・デッキの間隔はキャビン領域の廊下に応じてできるだけ小さく寸法決めされる。
【００１２】
キャビン・ユニットは、船舶の客室の組立て段階において、船舶の横断方向に取り付けられることが好ましい。キャビン・ユニットを、設置段階において、船舶の長手方向に基本的に移動させる必要がないので、キャビン・ユニットの自由高さは、必要とされる可能性のある移送のためのクリアランス、キャビン・ルーフに配置されたキャビン・ユニットの技術的装置、例えばエアコン、または遮音性をよくするため廊下天井の外装材よりも基本的に厚い天井のカバーによって決まり、したがって、デッキ間隔の範囲内でできるだけ大きくすることができる。
【００１３】
あるいは、キャビン・ユニットが船舶のデッキ建造物中の所定の位置に移動された後にのみ、キャビン・ユニットの天井は、所定の位置に取り付け、キャビン・デッキに取り付けることができる。この配置は、必要ならば、最終位置に取り付ける前に横梁の下に、船内に搭載したままキャビン・ユニットをさらに移動させるより良い可能性を提供する。
【００１４】
普通は、少なくとも４個、好ましくは６〜８個のキャビン・デッキが、船舶上に配置される。
【実施例】
【００１５】
以下に、本発明を添付の図面を参照して、例として説明する。
【００１６】
図面中の参照番号１は、船舶の船体を指し、その上部には、いくつかのデッキ３を備えるデッキ建造物２がある。図１を参照すると、各デッキの上には、２つの外側を向いたキャビン・ユニット４があり、その間にキャビン廊下５および技術上の空間６がある。船舶の加熱、配管、換気、および電気設備システム、または他の同様のシステム（図１には図示せず）の少なくとも大部分が、船舶の長手方向に技術上の空間６を介して導かれる。
【００１７】
図２は、本発明により、キャビン・ユニット４が横梁７の間にどのように取り付けられ、それによって、梁７の高さで決まるキャビン廊下５の自由高さ（点線９参照）を明らかに超えるように、キャビン・ユニット４の高さがかなり高くされることをより正確に示している。本発明による配置では、荷重に基づいて寸法決めされた下側横梁７が使用され、この梁は可能性のある貫通物用の開口部をほとんど有していない。したがって、技術上の空間６内に配置される加熱、配管、換気および電気設備システムなどからの船舶連結が、デッキ毎に、船舶の横断方向にキャビン廊下５を横切ってキャビン・ユニット４まで配置されており、参照番号８で示されている。このように、建築的手段によって、ゆったりとしたキャビンの印象を強調することができ、同時に、この配置によりキャビン・デッキ３の数を増やすことが可能になる。横梁７を従来よりも低くすることにより、材料を節約でき、コストを少なくすることができる。
【００１８】
キャビン・ユニット４は、例えば、横梁７の間で所定の位置に挿入することにより、建造中に取り付けることができる。この場合、キャビン・ユニットは、完全なアセンブリとして船舶の上に移動されてもよい。この配置は、キャビン・ユニットが取り付けられている時に、横隔壁、梁または支柱が輸送路中にないように、客室を分割することを必要とする。あるいは、キャビン・ユニットが船舶のデッキ建造物中の所定の位置に移動された後にのみ、キャビン・ユニットの天井は、所定の位置に取り付け、キャビン・ユニットに取り付けることができる。この場合、キャビン・ユニットを、必要なら、最終位置に取り付けられる前に横梁の下に、船内に搭載したままさらに移動させることもできる。
【００１９】
横隔壁および梁が低くなるにつれて、デッキ中の鋼の重量が少なくなる。キャビン・ユニット４をデッキの梁７の間に取り付けるには、キャビン・ユニットの壁および天井の隅部に、凹部４ａまたは同様の空間配置が必要であり、この凹部の中に梁７の横フランジ７ａが配置される。このような構造により、キャビン・ユニットのコストがある程度増えるが、キャビンを互いに非常に近接して取り付けることができるので、デッキの表面領域も効率的に利用できる。一方、キャビン・ユニット４の剛性壁の下部は、梁７に隣接する、または梁に近接して、デッキ３によって支持される、すなわちデッキ３を剛性にするように、梁と連結している。
【００２０】
デッキ間隔を小さくすることにより、重心に対して直接下げる影響があり、同時に鋼の重量が減り、デッキのコストが少なくなる。予め組立てられた剛性キャビン・ユニットを使用することは、輸送の点においてさえ有利であり、それによって、キャビン・ユニットに対する剛性要件は、事実上、キャビン・ユニットの重量を増加させない。
【００２１】
図１による配置における船舶のデッキ建造物が、船舶の実際の船体よりも明らかに狭く、すべてのキャビン・ユニットがデッキ建造物の縁部に配置され、加えてキャビン列の間に示した単一の技術上の空間が一つだけしかない場合でも、本発明は決して、この種類の配置に限るものではない。それどころか、本発明によるキャビン・ユニットは、舷側に加えて、船舶のどこにでも配置することができ、例えば図１に示す技術上の空間に部分的に隣接するところでさえ配置することができ、この場合、広い単一の空間であってもよい。したがって、舷内および舷側キャビン用の空調ダクトおよびパイプは、貫通物なしで技術上の空間に案内され、キャビン・ユニットに案内される場合にのみ貫通物が設けられる。あるいは、舷内キャビンをキャビン廊下に隣接して配置することができ、技術上の空間を船体の中間部に設けることができる。したがって、舷内キャビン・ユニットを低くすることができる、またはダクトおよびパイプを舷側キャビンに案内するように天井に凹部を設けることもできる。必要なら、キャビン・ユニットは、例えばバルコニーを考えると、舷側にある程度延ばすこともできる。重要なことは、キャビン・ユニットを、本発明の全体的な影響が十分得られるように、１つまたはいくつかの十分大きなグループで配置することである。
【００２２】
本発明は、上記実施例に限らず、いくつかの変更形態は添付の特許請求の範囲内にあると考えられる。
【図面の簡単な説明】
【００２３】
【図１】本発明による客船の断面図である。
【図２】横隔壁間でキャビン・デッキにキャビン・ユニットが配置される態様を示す、図１の線II−IIに沿った断面図である。
【図１】
2004268908.tif 000003
【図２】
2004268908.tif 000004